(57)【要約】【課題】送風ファンを小型化し、天井の汚れを防止し、ショートサーキットの発生を防止し、室内機の薄型化を図る。【解決手段】筐体１１の側面を形成する側面パネル１１Ｂを天井２０の面より下方に配置し、その側面パネル１１Ｂに吸込口１１Ｂａを形成する。また、筐体１１の底面を形成する化粧パネル１１Ｃに吹出口１１Ｃａを形成する。【選択図】図１
2015140970.tif 000002
【特許請求の範囲】
【請求項１】
天井に取り付けられる筐体と、該筐体の側面の内側に配置された熱交換器と、該熱交換器の内側に配置された送風ファンと、前記筐体の底面に形成され前記送風ファンにより風が吹き出される吹出口と、前記筐体の側面に前記熱交換器と対面するように形成され前記送風ファンにより風が吸い込まれる吸込口とを備える空気調和機の天井埋込型室内機であって、
前記筐体の側面に形成される前記吸込口を取付時の前記天井面より下方となる位置に配置したことを特徴とする空気調和機の天井埋込型室内機。
【請求項２】
請求項１に記載の空気調和機の天井埋込型室内機において、
前記筐体は、天井内に配置され前記筐体の上部を形成する上部筐体と、前記吸込口を備え前記筐体の側面を形成する側面パネルと、前記吹出口を備え前記筐体の底面を形成する化粧パネルとを有する、ことを特徴とする空気調和機の天井埋込型室内機。
【発明の詳細な説明】
【技術分野】
【０００１】
本発明は、空気調和機の天井埋込型室内機に関する。
【背景技術】
【０００２】
従来から、室内の天井に埋込設置された天井埋込型室内機は、化粧パネルを天井面とほぼ同一レベルとなるように配置し、その化粧パネルの中央に吸込口を設けるとともに、同じ化粧パネルの周囲に吹出口を設けていた（特許文献１）。
【０００３】
図２はその従来の天井埋込型室内機３０の概略構成を示す図である。２０は天井である。天井埋込型室内機３０は、天井２０の裏面に突出するように配置された筐体３１と、その筐体３１の側面内側に配置された熱交換器３２と、その熱交換器３２で囲まれるように配置された送風ファン３３と、中央に吸込口３４ａが形成され周囲に吹出口３４ｂが形成された化粧パネル３４と、風向板３５と、化粧パネル３４を筐体３１に対して支持する支持部材３６とを備える。
【０００４】
暖房運転あるいは冷房運転の際は、送風ファン３３の回転によって、室内から吸込口３４ａを経由して吸い込まれた空気が、矢印Ｂで示す経路を経由して、熱交換器３２で冷媒と熱交換されてから、吹出口３４ｂより室内に吹出される。送風運転の際は、熱交換器３２による熱交換が行われない点以外は、暖房運転あるいは冷房運転と同じである。
【先行技術文献】
【特許文献】
【０００５】
【特許文献１】特開２００８−１０６９７３号公報
【発明の概要】
【発明が解決しようとする課題】
【０００６】
しかしながら、図２の天井埋込型室内機３０は、吸込口３４ａから熱交換器３２を経由して吹出口３４ｂに至る空気流通経路（矢印Ｂ）が、複雑に曲折するため、送風ファン３３にかかる負荷が大きくなるので、送風能力が大きな送風ファンを使用する必要があった。また、吹出口３４ｂが化粧パネル３４の周囲に配置され、その部分は天井２０に近い位置となるので、天井２０に汚れ（スマッシング）が付着して目立つという問題もあった。さらに、吸込口３４ａと吹出口３４ｂが化粧パネル３４のほぼ同じ面に形成されているので、特に吹き出される空気が軽くなる暖房運転の際は、暖房空気が吸込口３４ｂに吸い込まれる、いわゆるショートサーキットが発生するおそれがあった。さらに、化粧パネル３４は吹出口３４ｂが外側を向くようにする必要から、ある程度の上下幅が必要となり、室内機の薄型化が制限され、小型化、輸送の容易化の妨げとなっていた。
【０００７】
本発明の目的は、上記した問題を解決して、送風ファンを小型化し、天井の汚れを防止し、ショートサーキットの発生を防止し、さらに薄型化を図った空気調和機の天井埋込型室内機を提供することである。
【課題を解決するための手段】
【０００８】
上記目的を達成するために、請求項１にかかる発明の天井埋込型室内機は、天井に取り付けられる筐体と、該筐体の側面の内側に配置された熱交換器と、該熱交換器の内側に配置された送風ファンと、前記筐体の底面に形成され前記送風ファンにより風が吹き出される吹出口と、前記筐体の側面に前記熱交換器と対面するように形成され前記送風ファンにより風が吸い込まれる吸込口とを備える空気調和機の天井埋込型室内機であって、前記筐体の側面に形成される前記吸込口を取付時の前記天井面より下方となる位置に配置したことを特徴とする。
【０００９】
請求項２にかかる発明は、請求項１に記載の空気調和機の天井埋込型室内機において、前記筐体は、天井内に配置され前記筐体の上部を形成する上部筐体と、前記吸込口を備え前記筐体の側面を形成する側面パネルと、前記吹出口を備え前記筐体の底面を形成する化粧パネルとを有することを特徴とする。
【発明の効果】
【００１０】
本発明によれば、筐体の側面に形成される吸込口を取付時に天井の面より下方に配置したしたので、その吸込口から熱交換器を経由して吹出口に至る空気流通経路を単純化でき、送風ファンにかかる負荷を軽くでき、送風ファンを小型化できる。また、吹出口が天井から離れた下方に位置することになるので、天井に汚れ（スマッシング）が付着し難くなる。さらに、吸込口は側面に、吹出口は下方に、それぞれ配置されるので、いわゆるショートサーキットが発生するおそれもない。さらに、化粧パネルには吹出口のみを設ければよいので、扁平に形成でき、このため室内機の上下幅を薄くすることができ、小型化、輸送の容易化を実現できる。
【図面の簡単な説明】
【００１１】
【図１】本発明の実施例の天井埋込型室内機の縦断面図である。
【図２】従来の天井埋込型室内機の縦断面図である。
【発明を実施するための形態】
【００１２】
図１に本発明の実施例の天井埋込型室内機１０を示す。１１は天井２０に取り付けられる筐体である。この筐体１１は、天井２０内に配置される上部筐体１１Ａと、その上部筐体１１Ａの下部に連続し筐体１１の側面を形成する側面パネル１１Ｂと、その側面パネル１１Ｂの下部に連続し筐体１１の底面を形成する化粧パネル１１Ｃとで構成されている。なお、側面パネル１１Ｂは天井２０から下方に突出している。そして、筐体１１の内部には、上部筐体１１Ａと側面パネル１１Ｂで囲まれるように配置された熱交換器１２と、その熱交換器１２で囲まれるように配置された送風ファン１３とが備えられる。このように、側面パネル１１Ｂと化粧パネル１１Ｃはいずれも天井２０よりも下方の室内に露出しており、その側面パネル１１Ｂには空気を吸い込む吸込口１１Ｂａが周囲の所定箇所に形成され、化粧パネル１１Ｃには中央に空気を吹き出す吹出口１１Ｃａが形成されている。なお、吸込口１１Ｂａや吹出口１１Ｃａにはフィルタ（図示せず）が装着される。
【００１３】
このように、本実施例の天井埋込型室内機１０は、吸込口１１Ｂａが筐体１１の側面に、吹出口１１Ｃａが筐体１１の底面に、それぞれ形成されている。
【００１４】
暖房運転あるいは冷房運転の際は、送風ファン１３の回転によって、矢印Ａで示すように、室内から吸込口１１Ｂａを経由して吸い込まれた空気が、熱交換器１２で冷媒と熱交換されてから、吹出口１１Ｃａより室内に吹き出される。送風運転の際は、熱交換器１２による熱交換が行われない点以外は、暖房運転あるいは冷房運転と同じである。
【００１５】
よって、天井面２０よりも下方に設けられる側面パネル１１Ｂの側面に吸込口１１Ｂａが配置されているので、その吸込口１１Ｂａから熱交換器１２を経由して吹出口１１Ｃａに至る空気流通経路が、複雑に曲折することなく、単純となる。このため、送風ファン１３にかかる負荷が軽くなり、送風ファン１３を小型化できる。また、吹出口１１Ｃａは天井２０から離れた下方の化粧パネル１１Ｃに設けられるので、天井２０に汚れ（スマッシング）が付着し難くなる。さらに、吸込口１１Ｂａは筐体１１の側面パネル１１Ｂの側面に、吹出口１１Ｃａは筐体１１の化粧パネル１１Ｃの底面に、それぞれ配置されるので、いわゆるショートサーキットが発生するおそれもない。さらに、化粧パネル１１Ｃには吹出口１１Ｃａのみを設ければよいので、化粧パネル１１Ｃを扁平に形成でき、このため室内機の上下幅を薄くすることができ、小型化、輸送の容易化を実現できる。
【符号の説明】
【００１６】
１０：天井埋込型室内機、１１：筐体、１１Ａ：上部筐体、１１Ｂ：側面パネル，１１Ｂａ：吸込口、１１Ｃ：化粧パネル、１１Ｃａ：吹出口、１２：熱交換器、１３：送風ファン
２０：天井
３０：天井埋込型室内機、３１：筐体、３２：熱交換器、３３：送風ファン、３４：化粧パネル、３４ａ：吸込口、３４ｂ：吹出口、３５：風向板、３６：支持体
【図１】
2015140970.tif 000003
【図２】
2015140970.tif 000004